(57)【要約】【課題】  校正の対象となる画像にその校正の管理を行うための情報を付加したカラープルーフを効率良く作成すると共に、校正担当者が当該カラープルーフに付加された校正管理情報を参照することで、その校正を円滑に行うことを可能にする。【解決手段】  出力担当者が入力操作部２４により表示部２３に表示された印刷用画像データに基づく画像に対してその校正管理情報を含む付属画像を入力する作業を行うと、付属画像データ生成部２５は、その入力に対応する付属画像データを生成して、画像データ合成部２６は、スクリーン処理部２２から出力された印刷用画像データに対して付属画像データを合成することでＤＣＰ用画像データを生成する。出力制御部２７は、そのＤＣＰ用画像データを送信して、これを受けたカラーレーザープリンタ３は、そのＤＣＰ用画像データに基づく画像を出力することで、校正の対象となる画像に対してその校正管理情報が付加されたＤＣＰを作成する。【選択図】      図３
2005144838.tif 000002
【特許請求の範囲】
【請求項１】
外部装置から受けた校正の対象となる主たる画像データを保存する保存手段と、
前記校正の管理を行うための付属画像データを生成する付属画像データ生成手段と、
前記保存された主たる画像データと前記生成された付属画像データとを合成することでカラープルーフ用画像データを生成する合成画像データ生成手段と、
前記生成されたカラープルーフ用画像データを出力指示信号と共に送信する出力制御手段と、を有する制御装置と、
前記送信されたカラープルーフ用画像データと出力指示信号を受けて、前記カラープルーフ用画像データに基づく画像を記録用紙に出力することでカラープルーフを作成する画像出力装置と、を備えたことを特徴とする画像出力システム。
【請求項２】
前記付属画像データ生成手段は、
前記保存された主たる画像データに基づく画像を、当該画像データを出力する記録用紙の画像出力領域に相当する表示領域内に表示する表示手段と、
前記表示領域内に表示された主たる画像データに基づく画像に対して付属画像を入力するための画像入力手段と、
前記画像入力手段による入力に応じて、前記付属画像データを生成する画像データ生成手段と、を有することを特徴とする請求項１記載の画像出力システム。
【請求項３】
前記付属画像は、前記主たる画像データに基づく画像の校正対象箇所又は校正指示内容を示す画像であることを特徴とする請求項２記載の画像出力システム。
【請求項４】
前記外部装置は、前記主たる画像データを印刷用画像データとして生成して、これをプレートセッタへ出力すると共に前記制御装置へ出力するラスターイメージプロセッサであって、前記主たる画像データは、ラスター画像データであることを特徴とする請求項１乃至請求項３の何れか一項に記載の画像出力システム。
【請求項５】
カラープルーフ用画像データと出力指示信号を受けて前記カラープルーフ用画像データに基づく画像を記録用紙に出力することでカラープルーフを作成する画像出力装置の出力制御を行う制御装置であって、
外部装置から受けた校正の対象となる主たる画像データを保存する保存手段と、
前記校正の管理を行うための付属画像データを生成する付属画像データ生成手段と、
前記保存された主たる画像データと前記生成された付属画像データとを合成することで合成画像データを生成する合成画像データ生成手段と、
前記生成された合成画像データを前記カラープルーフ用画像データとして出力指示信号と共に送信する出力制御手段と、を有することを特徴とする制御装置。
【請求項６】
前記付属画像データ生成手段は、
前記保存された主たる画像データに基づく画像を、当該画像データを出力する記録用紙の画像出力領域に相当する表示領域内に表示する表示手段と、
前記表示領域内に表示された主たる画像データに基づく画像に対して付属画像を入力するための画像入力手段と、
前記画像入力手段による入力に応じて、前記付属画像データを生成する画像データ生成手段と、を有することを特徴とする請求項５記載の制御装置。
【請求項７】
前記付属画像は、前記主たる画像データに基づく画像の校正対象箇所又は校正指示内容を示す画像であることを特徴とする請求項６記載の制御装置。
【請求項８】
前記外部装置は、前記主たる画像データを印刷用画像データとして生成して、これをプレートセッタへ出力すると共に前記制御装置へ出力するラスターイメージプロセッサであって、前記主たる画像データは、ラスター画像データであることを特徴とする請求項５乃至請求項７の何れか一項に記載の制御装置。
【請求項９】
カラープルーフ用画像データと出力指示信号を受けて前記カラープルーフ用画像データに基づく画像を記録用紙に出力することでカラープルーフを作成する画像出力装置の出力制御を行う制御装置における画像出力方法であって、
外部装置から受けた校正の対象となる主たる画像データを保存する保存ステップと、
前記校正の管理を行うための付属画像データを生成する付属画像データ生成ステップと、
前記保存された主たる画像データと前記生成された付属画像データとを合成することで合成画像データを生成する合成画像データ生成ステップと、
前記生成された合成画像データを前記カラープルーフ用画像データとして出力指示信号と共に送信する出力制御ステップと、を含むことを特徴とする画像出力方法。
【請求項１０】
前記付属画像データ生成ステップは、
前記保存された主たる画像データに基づく画像を、当該画像データを出力する記録用紙の画像出力領域に相当する表示領域内に表示する表示ステップと、
前記表示領域内に表示された主たる画像データに基づく画像に対して付属画像が入力される画像入力ステップと、
前記入力に応じて、前記付属画像データを生成する画像データ生成ステップと、を有することを特徴とする請求項９記載の画像出力方法。
【請求項１１】
前記付属画像は、前記主たる画像データに基づく画像の校正対象箇所又は校正指示内容を示す画像であることを特徴とする請求項１０記載の画像出力方法。
【請求項１２】
前記外部装置は、前記主たる画像データを印刷用画像データとして生成して、これをプレートセッタへ出力すると共に前記制御装置へ出力するラスターイメージプロセッサであって、前記主たる画像データは、ラスター画像データであることを特徴とする請求項９乃至請求項１１の何れか一項に記載の画像出力方法。
【請求項１３】
カラープルーフ用画像データと出力指示信号を受けて前記カラープルーフ用画像データに基づく画像を記録用紙に出力することでカラープルーフを作成する画像出力装置の出力制御を行う制御装置のコンピュータにおいて実行されるプログラムであって、
外部装置から受けた校正の対象となる主たる画像データを保存する保存処理ステップと、
前記校正の管理を行うための付属画像データを生成する付属画像データ生成処理ステップと、
前記保存された主たる画像データと前記生成された付属画像データとを合成することで合成画像データを生成する合成画像データ生成処理ステップと、
前記生成された合成画像データを前記カラープルーフ用画像データとして出力指示信号と共に送信する出力制御処理ステップと、を含むことを特徴とするプログラム。
【請求項１４】
前記付属画像データ生成処理ステップは、
前記保存された主たる画像データに基づく画像を、当該画像データを出力する記録用紙の画像出力領域に相当する表示領域内に表示する表示処理ステップと、
前記表示領域内に表示された主たる画像データに基づく画像に対する付属画像の入力を受けて、当該入力に対応する前記付属画像データを生成する画像データ生成処理ステップと、を有することを特徴とする請求項１３記載のプログラム。
【請求項１５】
前記付属画像は、前記主たる画像データに基づく画像の校正対象箇所又は校正指示内容を示す画像であることを特徴とする請求項１４記載のプログラム。
【請求項１６】
前記外部装置は、前記主たる画像データを印刷用画像データとして生成して、これをプレートセッタへ出力すると共に前記制御装置へ出力するラスターイメージプロセッサであって、前記主たる画像データは、ラスター画像データであることを特徴とする請求項１３乃至請求項１５の何れか一項に記載のプログラム。
【請求項１７】
請求項１３乃至請求項１６の何れか一項に記載のプログラムを前記制御装置のコンピュータにより読み出し可能に記憶したことを特徴とする記憶媒体。
【発明の詳細な説明】
【技術分野】
【０００１】
本発明は、校正の対象となる画像にその校正の管理を行うための情報を含む画像が付加されたカラープルーフを作成するための画像出力システム、制御装置、画像出力方法、その方法を実行させるためのプログラム、及び、そのプログラムを記憶した記憶媒体に関する。
【背景技術】
【０００２】
近年においては、ＤＴＰ（Ｄｅｓｋ  Ｔｏｐ  Ｐｕｂｌｉｓｈｉｎｇ）等の普及により、印刷発注者が自身の端末において、スキャナから入力した画像をコンピュータのソフトウェア上で画像編集し、ページ面付けする作業が一般化し、フルディジタルでの編集も珍しくなくなってきている。
【０００３】
このような印刷製版工程では、さらなる効率化を目指して、そのページ面付け済みの画像データをフィルムに直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
この場合、校正確認の為だけに一旦フィルム出力や印刷版出力を行い、印刷校正や、その他の校正材料による校正を行うことは、フィルムや印刷版にムダが生じ、また、余計な作業が多くなる問題がある。
【０００５】
そこで、このようなコンピュータによるフルディジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）と呼ばれる直接カラー画像出力を行うシステムが求められるようになった。
【０００６】
このＤＤＣＰによって、例えばページ面付け済みの画像データをイメージセッタなどで製版用フィルム上に記録したり、プレートセッタ（ＣＴＰ出力システムにおいて、印刷版を出力する機械のことであり、以下、ＣＴＰと称する）で直接印刷版を作成する印刷作業を行ったり、ＣＴＣで印刷機のシリンダー上に巻かれた印刷版に直接画像記録を行ったりなどする前に、これを再現する色見本であるＤＣＰ（Ｄｉｇｉｔａｌ  Ｃｏｌｏｒ  Ｐｒｏｏｆ）を作成することができ、作業者は、このＤＣＰを用いて絵柄や色調等の校正を行うことができる。
【０００７】
ところで、このＤＣＰを作成するための画像データ、即ち、印刷用画像データを出力する際には、校正を行う担当者は、その都度、その印刷用画像データがどのような画像に対応するものであって、その画像の何に関して校正を行う必要があるのかなどについて把握しておく必要がある。
【０００８】
そこで、従来においては、例えば特開２００２−３５８１７５号公報に記載されるように、ユーザ端末から送信される印刷ジョブに保持情報（画像データ名、出力日時、色版構成等）を付加しておき、印刷制御装置において、その保持情報を印刷ジョブに付加して、これをプリンタにて出力することが行われている。これにより、校正担当者は、その印刷物に出力された保持情報を参照することで、当該印刷物がどのような出力物であるかを認識して校正を行うことができる。
【０００９】
【特許文献１】特開２００２−３５８１７８号公報（段落〔００１４〕‐〔００８５〕、第１図乃至第８図）
【発明の開示】
【発明が解決しようとする課題】
【００１０】
しかしながら、この印刷物に出力される保持情報は、ユーザ端末において付加されるものであるため、例えば印刷用画像データを出力する出力担当者と校正を行う校正担当者とが別の人物であるような場合、さらには、双方の担当者が複数人存在するような場合（例えば、交代制勤務等により複数の担当者が入れ替わる場合等）には、校正担当者が当該保持情報を参照することだけでは、出力担当者との意思の疎通が円滑に行われないことがある。このような場合には、出力担当者と校正担当者間において修正内容の確認などを行うために無駄な時間を要することになる。
【００１１】
また一方で、印刷物に付加情報を追加するべく、出力担当者が出力物に対して赤でコメントを書き加えたり、付箋等を貼って追加用件等を書き記すことが行われているが、複数種類の印刷用画像データを出力する場合には、その出力毎にその出力部数だけ同様の作業を行う必要があり、大変な手間がかかることになる。
【００１２】
本発明は、上記事情を鑑みてなされたものであり、その目的とするところは、出力担当者が、簡単にカラープルーフ用の画像データを作成することができると共に、当該カラープルーフ用画像データに基づく画像を出力することで、校正の対象となる画像にその校正の管理を行うための情報が付加されたカラープルーフを効率良く作成することができ、また、校正担当者が当該カラープルーフに付加された校正管理情報を参照することで、校正を円滑に行うことを可能にする画像出力システム、制御装置、画像出力方法、その方法を実行させるためのプログラム、及び、そのプログラムを記憶した記憶媒体を提供することにある。
【課題を解決するための手段】
【００１３】
上記課題を解決するために、請求項１記載の発明は、外部装置から受けた校正の対象となる主たる画像データを保存する保存手段と、前記校正の管理を行うための付属画像データを生成する付属画像データ生成手段と、前記保存された主たる画像データと前記生成された付属画像データとを合成することでカラープルーフ用画像データを生成する合成画像データ生成手段と、前記生成されたカラープルーフ用画像データを出力指示信号と共に送信する出力制御手段と、を有する制御装置と、前記送信されたカラープルーフ用画像データと出力指示信号を受けて、前記カラープルーフ用画像データに基づく画像を記録用紙に出力することでカラープルーフを作成する画像出力装置と、を備えたことを特徴とする。
【００１４】
上記課題を解決するために、請求項５記載の発明は、カラープルーフ用画像データと出力指示信号を受けて前記カラープルーフ用画像データに基づく画像を記録用紙に出力することでカラープルーフを作成する画像出力装置の出力制御を行う制御装置であって、外部装置から受けた校正の対象となる主たる画像データを保存する保存手段と、前記校正の管理を行うための付属画像データを生成する付属画像データ生成手段と、前記保存された主たる画像データと前記生成された付属画像データとを合成することで合成画像データを生成する合成画像データ生成手段と、前記生成された合成画像データを前記カラープルーフ用画像データとして出力指示信号と共に送信する出力制御手段と、を有することを特徴とする。
【００１５】
上記課題を解決するために、請求項９記載の発明は、カラープルーフ用画像データと出力指示信号を受けて前記カラープルーフ用画像データに基づく画像を記録用紙に出力することでカラープルーフを作成する画像出力装置の出力制御を行う制御装置における画像出力方法であって、外部装置から受けた校正の対象となる主たる画像データを保存する保存ステップと、前記校正の管理を行うための付属画像データを生成する付属画像データ生成ステップと、前記保存された主たる画像データと前記生成された付属画像データとを合成することで合成画像データを生成する合成画像データ生成ステップと、前記生成された合成画像データを前記カラープルーフ用画像データとして出力指示信号と共に送信する出力制御ステップと、を含むことを特徴とする。
【００１６】
上記課題を解決するために、請求項１３記載の発明は、カラープルーフ用画像データと出力指示信号を受けて前記カラープルーフ用画像データに基づく画像を記録用紙に出力することでカラープルーフを作成する画像出力装置の出力制御を行う制御装置のコンピュータにおいて実行されるプログラムであって、外部装置から受けた校正の対象となる主たる画像データを保存する保存処理ステップと、前記校正の管理を行うための付属画像データを生成する付属画像データ生成処理ステップと、前記保存された主たる画像データと前記生成された付属画像データとを合成することで合成画像データを生成する合成画像データ生成処理ステップと、前記生成された合成画像データを前記カラープルーフ用画像データとして出力指示信号と共に送信する出力制御処理ステップと、を含むことを特徴とするプログラム。
【００１７】
上記課題を解決するために、請求項１７記載の発明は、請求項１３乃至請求項１６の何れか一項に記載のプログラムを前記制御装置のコンピュータにより読み出し可能に記憶したことを特徴とする。
【発明の効果】
【００１８】
本発明に係る画像出力システム、制御装置、画像出力方法、その方法を実行させるためのプログラム、及び、そのプログラムを記憶した記憶媒体によれば、画像出力装置の出力制御を行う制御装置において、外部装置から送信された校正の対象となる画像データに対してその校正の管理を行うための情報を含む画像データを付加することで、出力担当者は、簡単にカラープルーフ用の画像データを作成することができると共に、画像出力装置において当該カラープルーフ用画像データに基づく画像を出力することで、校正の対象となる画像にその校正の管理を行うための情報が付加されたカラープルーフを効率良く作成することができる。また、校正担当者は、当該カラープルーフに付加された校正管理情報を参照することで、校正を円滑に行うことができる。
【発明を実施するための最良の形態】
【００１９】
以下、本発明に係る画像出力システム、制御装置、画像出力方法、その方法を実行させるためのプログラム、及び、そのプログラムを記憶した記憶媒体の好適な実施形態の一例について、図面を参照しながら具体的に説明する。
【００２０】
［画像出力システム］
まず、本実施形態における画像出力システムのシステム構成及び概略動作について、印刷製版工程の流れを踏みつつ、図１を参照して、図２に示すフローチャートの流れに沿って説明する。
【００２１】
＜システム構成＞
図１に示すように、当該画像出力システムは、画像データの画像編集、例えば面付け作業を行うための、少なくとも１台のクライアント端末１と、このクライアント端末１からネットワークを介して送信された、例えばＰｏｓｔＳｃｒｉｐｔで記述されたカンプ用画像データ（ページ面付けする前の単ページの画像データ）や、後述するＣＴＰ用ＲＩＰ（ＣＴＰ用ラスターイメージプロセッサ）４から送信されたＲＩＰ処理（例えばＰｏｓｔＳｃｒｉｐｔ等で記述された画像データをラスター画像データ（カラーレーザープリンタ３の出力解像度にあわせたビットマップデータ）に変換する処理）の施された印刷用画像データ（複数面付けした画像データ）を解析して、当該画像データがＲＩＰ処理を施されていない場合に、これにＲＩＰ処理を施し、さらに、必要に応じて、当該ラスター化された画像データに校正を管理するための情報、具体的には、校正の対象箇所や校正の指示内容を示す情報（以下、校正管理情報と称する）を含む付属画像データを合成して、当該合成されたラスター画像データを出力指示信号、具体的には、当該ラスター画像データの出力指示や当該ラスター画像データに基づく画像を出力する記録用紙のサイズ及び種類を指定する指示信号と共に後述する画像出力装置であるカラーレーザープリンタ３に送信する制御装置２と、この制御装置２から送信されたカンプ用画像データに基づく画像や、後述するＣＴＰ用ＲＩＰ４から送信されたラスター画像データに基づく画像を出力指示信号に従って該当するサイズ及び種類の記録用紙に出力するカラーレーザープリンタ３と、クライアント端末１から送信された、例えばＰｏｓｔＳｃｒｉｐｔで記述された印刷用画像データにＲＩＰ処理（ＣＴＰ６やＤＣＰ作成装置７の出力解像度にあわせてビットマップデータに変換する処理）を施した後、これを制御装置２やＣＴＰ６、高精度なＤＣＰが必要な場合には、ＤＣＰ制御装置５に送信するＣＴＰ用ＲＩＰ４と、このＣＴＰ用ＲＩＰ４からＤＣＰ制御装置５を介して送信されたラスター画像データに基づく画像をＤＣＰとして出力するＤＣＰ作成装置７と、このＣＴＰ用ＲＩＰ４から送信された印刷用画像データに基づく画像を出力するＣＴＰ６と、から構成されている。
【００２２】
尚、クライアント端末１、制御装置２、ＣＴＰ用ＲＩＰ４及びＤＣＰ制御装置５は、各々、コンピュータ端末として動作するものであって、コンピュータ本体、マウスやキーボード等の操作手段、モニタ等の表示手段等を備え、所定の動作プログラムが組み込まれている。さらに、クライアント端末１は、画像編集を行うための編集プログラム、イメージスキャナ等の必要な画像入力機器を備えている。
【００２３】
また、カラーレーザープリンタ３は、電子写真方式の複写手段や、イメージスキャナ等のスキャン手段を備えるマルチファンクションプリンタであって、互いに異なるサイズや種類の記録用紙を収納する複数の給紙カセットを備え、上述したように、制御装置２から送信された出力指示信号に従って、該当するサイズ及び種類の記録用紙を該当する給紙カセットから給紙して、その記録用紙にカンプ用画像データに基づく画像や印刷用画像データに基づく画像を出力する。
【００２４】
＜概略動作＞
図２に示すように、このような構成において、クライアントによりクライアント端末１において画像編集された画像データは、制御装置２へ送信され、これを受けた制御装置２は、当該画像データを解析して、当該画像データにＲＩＰ処理が施されていない場合には、これにＲＩＰ処理を施し（ラスター画像データに変換し）、必要に応じて行われる出力担当者の入力操作に応じて、当該ラスター化された画像データに校正管理情報を含む付属画像データを合成して、当該合成されたラスター画像データと共に出力指示信号をカラーレーザープリンタ３へ送信し、これを受けたカラーレーザープリンタ３は、出力指示信号に従って、該当するサイズ及び種類の記録用紙にそのラスター画像データに基づく画像を出力する。これにより、カラーカンプが作成される（Ｓ０１）。尚、此処に言う“カラーカンプ”とは、色付きの仕上がり見本のことであり、ページ面付けされる写真やイラストのダミーとして印刷物に近い仕上がりイメージを見せることにより、デザインが企画・編集意図に沿ったものであるかどうかの検討や、クライアントの承諾を得るためなどに作成されるものである。即ち、この際には、単ページの小サイズ出力が行われ、印刷発注主やデザイナー等の校正担当者によって文字校正や色校正等の作業結果確認が行われる（Ｓ０２）。
【００２５】
ここで、校正担当者により問題がないことが確認された場合には（Ｓ０２、Ｙｅｓ）、クライアントによりクライアント端末１において面付け作業が行われる（Ｓ０３）。尚、此処に言う“面付け作業”とは、製版フィルムを印刷して折り丁にしたときにノンブル（そのページが何ページ目かがわかるように、ページの端に入れておく番号のこと）が順に並ぶように、写真やイラスト等の画像を１６ページ単位、或いは、８ページ単位や４ページ単位で、印刷機にかける用紙のサイズに合わせて貼り合わせる作業のことである。
【００２６】
そして、クライアントによりクライアント端末１からＣＴＰ用ＲＩＰ４へ面付け作業が行われた印刷用の画像データが送信されると、これを受けたＣＴＰ用ＲＩＰ４は、その印刷用の画像データに対してＲＩＰ処理を施す。具体的には、カラーレーザープリンタ３やＤＣＰ作成装置７、或いは、ＣＴＰ６の出力解像度にあわせてビットマップデータに変換することでラスター画像データを作成する（Ｓ０４）。ここで、ＤＣＰをカラーレーザープリンタ３にて作成する場合には、このラスター画像データを、ＣＴＰ用ＲＩＰ４から制御装置２へ送信して、これを受けた制御装置２は、必要に応じて行われる出力担当者の入力操作に応じて、当該ラスター画像データに、上述した校正管理情報を含む付属画像データを合成して、これをＤＣＰ用画像データとして出力指示信号と共にカラーレーザープリンタ３へ送信し、これを受けたカラーレーザープリンタ３は、出力指示信号に従って、該当するサイズ及び種類の記録用紙にこのＤＣＰ用画像データに基づく画像を出力する（Ｓ０５）。この際、カラーレーザープリンタ３においてＤＣＰ用画像データに基づく画像が出力される記録用紙は、印刷機により印刷される用紙と同様、若しくは、似通った種類のものが使用されることが好ましい。
【００２７】
尚、ここで、高精度のＤＣＰが必要とされる場合には、ＣＴＰ用ＲＩＰ４からＤＣＰ用画像データをＤＣＰ制御装置５へ送信して、これを受けたＤＣＰ制御装置５がＤＣＰ作成装置７の出力制御を行い、ＤＣＰ作成装置７がＤＣＰ用画像データに基づく画像を出力する（Ｓ０５）。
【００２８】
そして、ＤＣＰ用画像データに基づく画像が出力された記録用紙、即ち、ＤＣＰの色校正が校正担当者により行われる。ここで、問題があった場合には、その校正内容を反映させるべく、再度、クライアントによりクライアント端末１において画像データの編集作業が行われ、同様の工程を経てＤＣＰが作成されて、再度、そのＤＣＰの色校正が校正担当者により行われる。
【００２９】
そして、問題がないことが確認された場合には（Ｓ０６、Ｙｅｓ）、出力担当者は、ＣＴＰ用ＲＩＰ４からラスター画像データである印刷用画像データ（ＤＣＰを作成する際に用いた画像データから上述した校正管理情報を含む画像データを除いたもの）をＣＴＰ６に送信して、これを受けたＣＴＰ６は、印刷版に直接画像記録を行う（Ｓ０７）。さらに、クライアントは、その印刷版により印刷を行い、その印刷物である面付けされた画像の色校正を行い、ここで、問題がないことが確認された場合には（Ｓ０８、Ｙｅｓ）、印刷機により印刷物を印刷する工程に移行する（Ｓ０９）。
【００３０】
［制御装置］
次に、当該画像出力システムを構成する制御装置２の詳細構成及び詳細動作について、図３及び図５を参照しながら、図４に示すフローチャートの流れに沿って説明する。尚、以下においては、制御装置２においてＣＴＰ用ＲＩＰ４から送信されたＲＩＰ処理が施された印刷用の画像データに対して、その校正管理情報を含む付属画像データを合成することでＤＣＰ用画像データを生成して、カラーレーザープリンタ３において、当該ＤＣＰ用画像データに基づく画像を記録用紙に出力することでＤＣＰを作成する場合を例に採り説明する。
【００３１】
＜詳細構成＞
図３に示すように、制御装置２は、ＣＴＰ用ＲＩＰ４から受信した印刷用の画像データを保存する画像データ保存部２０と、この画像データ保存部２０に保存された印刷用の画像データを解析して、当該画像データにＲＩＰ処理を施されていない場合に、これにＲＩＰ処理を施す画像データ解析加工部２１と、この画像データ解析加工部２１から出力されたラスター画像データに対して、色調整やスクリーン処理（写真やイラストなどのように階調のある原稿を、印刷用の原稿に加工するために細かい点の集まり（網、網点、ハーフトーンドット等）に置き換える処理のこと）を施すスクリーン処理部２２と、このスクリーン処理が施されたラスター画像データに基づく画像を、当該ラスター画像データを出力する記録用紙の画像出力領域に相当する表示領域内に表示する表示部２３と、この表示部２３に表示されたラスター画像データに基づく画像に対して付属画像を入力する操作手段（例えば、マウスやキーボード等）である入力操作部２４と、この入力操作部２４による入力を受けて、入力された付属画像に対応する付属画像データを生成する付属画像データ生成部２５と、上述のスクリーン処理が施されたラスター画像データと、この付属画像データ生成部２５によって生成された付属画像データとを合成することでＤＣＰ用画像データを生成する画像データ合成部２６と、この画像データ合成部２６によって生成されたＤＣＰ用画像データをその出力を指示する指示信号やその出力対象となる記録用紙のサイズ及び種類を指定する指定信号等を含む出力指示信号と共にカラーレーザープリンタ３へ送信する出力制御部２７と、を備えている。
【００３２】
尚、付属画像データ生成部２５は、出力担当者が表示部２３にて付属画像を入力する際に使用するポインタ（例えば、図形入力用のカーソルや、文字入力用のキャレット）等の画像データを記憶する不図示の記憶部を有しており、表示部２３がそれらの画像データを読み出して、それらの画像を表示して、出力担当者がそれらのポインタを使用して入力操作部２４（例えば、図形入力用のマウスや、文字入力用のキーボード）による操作を行うことで、例えば任意の図形、文字、記号等を入力することができるようになっている（この際、付属画像データ生成部２５は、入力された付属画像に対応する付属画像データを生成する）。因みに、このような入力操作部２４による入力操作は、従来のＧＵＩ（Ｇｒａｐｈｉｃａｌ  Ｕｓｅｒ  Ｉｎｔｅｒｆａｃｅ）環境におけるマウスやキーボードによる入力操作と同様であるため、ここでの記載は省略する。また、当該入力操作部２４は、この他にも、例えばトラックボールやタブレット、スタイラスペン等の入力操作手段により構成することとしても良い。
【００３３】
＜詳細動作＞
図４に示すように、このような構成において、制御装置２にＣＴＰ用ＲＩＰ４から印刷用の画像データが送信されると、画像データ保存部２０は、これを受けて、その送信された印刷用の画像データを保存する（保存処理ステップ；Ｓ１０）。これを受けて、画像データ解析加工部２１は、その保存された印刷用の画像データを解析することで、その画像サイズを取得すると共に、当該画像データにＲＩＰ処理が施されていない場合に、これにＲＩＰ処理を施す（Ｓ１１）。但し、ＣＴＰ用ＲＩＰ４から送信される画像データは、全てＲＩＰ処理が施されたラスター画像データとなっているため、本例においては、画像データ解析加工部２１がＲＩＰ処理を施す場合はない。
【００３４】
これを受けて、スクリーン処理部２２は、この画像データ解析加工部２１から出力されたラスター画像データに対して、順次、色調整やスクリーン処理を施し、これを画像データ合成部２３に出力する（Ｓ１２）。
【００３５】
この際、表示部２３は、例えば図５に示すように、スクリーン処理部２２から出力されたラスター画像データに基づく画像を、当該ラスター画像データを出力する記録用紙の画像出力領域に相当する表示領域内に配置したレイアウト画面１０Ａを表示する（表示処理ステップ；Ｓ１３）。さらに、当該表示領域内に配置されたラスター画像データに基づく画像に対して付属画像を入力するために使用するポインタ、例えば任意の図形を入力するための矢印カーソル１０Ａｂや、任意の文字を入力するためのキャレット１０Ａｃを表示する（Ｓ１４）。
【００３６】
尚、当該レイアウト画面１０Ａを構成するフレームデータ（＝テンプレートとなる画像データ）は、画像データ合成部２６の記憶部に記憶されており、表示部２３は、そのフレームデータを読み出すことで、レイアウト画面１０Ａを構成し、これを表示するものとする。また、上述のスクリーン処理部２２から出力されたラスター画像データを出力する記録用紙の画像出力領域の大きさは、画像データ解析加工部２１によって取得された当該印刷用の画像データの画像サイズに応じて適正なものが画像データ合成部２６の記憶部から取得されるものとする。即ち、画像データ合成部２６の記憶部には、予め記録用紙の大きさに応じた画像出力領域の大きさが記憶されているものとする。
【００３７】
因みに、図５に示すレイアウト画面１０Ａにおいては、複数の印刷用画像データに基づく画像、具体的には、修正前の印刷用画像（ジョブ名；ＴＲＥＥ１．ＪＯＢ…）と、修正後の印刷用画像（ジョブ名；ＴＲＥＥ２．ＪＯＢ…）とを比較可能に並べて表示して形態を示している。このように、ＤＣＰ用画像データは、複数の印刷用画像データをレイアウトした構成としても良い。
【００３８】
ここで、出力担当者は、表示部２３に表示されるポインタを使用して、入力操作部２４による入力操作を行うことで、上述の表示領域内に配置されたラスター画像データ（＝印刷用画像データ）に基づく画像に対してその校正管理情報を含む付属画像を入力する作業を行う。これにより、出力担当者は、簡単な作業をもって付属画像を入力することができ、また、自由に校正管理情報を追加することができる。
【００３９】
これを受けて、付属画像データ生成部２５は、その入力操作部２４による入力に対応する付属画像データを生成する（画像データ生成処理ステップ；Ｓ１５）。
【００４０】
これを受けた画像データ合成部２６は、スクリーン処理部２２から出力されたラスター画像データ（＝印刷用画像データ）と、この付属画像データ生成部２５によって生成された付属画像データとを合成することでＤＣＰ用画像データを生成して（合成画像データ生成処理ステップ；Ｓ１６）、これを出力制御部２７へ出力する。
【００４１】
この際、表示部２３は、この画像データ合成部２６によって生成されたＤＣＰ用画像データに基づく画像を表示する（Ｓ１７）。これにより、出力担当者は、このＤＣＰ用画像データに基づく画像を確認することができる。因みに、図５に示すレイアウト画面１０Ａにおいては、上述した修正前の印刷用画像（ジョブ名；ＴＲＥＥ１．ＪＯＢ…）と修正後の印刷用画像（ジョブ名；ＴＲＥＥ２．ＪＯＢ…）に対して、校正管理情報として、画像の修正箇所を示す楕円の図形画像や、画像の修整内容、校正期限等の情報を示すテキスト画像が合成されている。
【００４２】
図４に示すように、これを受けて出力制御部２７は、画像データ合成部２６によって生成されたＤＣＰ用画像データを、その出力を指示する指示信号と当該ＤＣＰ用画像データの出力対象となる記録用紙のサイズ及び種類を指定する指定信号等を含む出力指示信号と共にカラーレーザープリンタ３へ送信する（出力制御処理ステップ；Ｓ１８）。
【００４３】
ところで、上述した画像データ合成部２６がＤＣＰ用画像データを生成するタイミングは、当該ＤＣＰ用画像データをカラーレーザープリンタ３へ転送する際としても良い。但し、このような場合には、出力担当者が当該ＤＣＰ用画像データの転送（即ち、画像データ合成部２６が当該ＤＣＰ用画像データを生成する）に先立ち当該ＤＣＰ用画像データに基づく画像を確認することを可能とするために、スクリーン処理部２２から印刷用画像データを取得して、また、付属画像データ生成部２５から付属画像データを取得して、これらを重ね合わせた画像（＝ＤＣＰ用画像データに基づく画像）を表示部２３に表示させる制御を行う表示制御部を設ける必要がある。
【００４４】
説明に戻って、これを受けたカラーレーザープリンタ３は、送信された出力指示信号に従って、指定されたサイズ及び種類の記録用紙を収納する給紙カセットを選択した上で、当該選択された給紙カセットより給紙する記録用紙に、送信されたＤＣＰ用画像データに基づく画像を出力する。これにより、印刷用の画像に校正管理情報を含む画像が付加されたＤＣＰが効率良く作成される。
【００４５】
そして、当該ＤＣＰを提供された校正担当者は、当該ＤＣＰに付加された校正管理情報を参照することで、その校正を円滑に行うことができる。
【００４６】
［プログラム及びこれを記憶する記憶媒体］
尚、以上に説明した当該画像出力システムを構成する制御装置２において行われる処理、具体的には、図４を参照しつつ説明した（保存処理ステップ）〜（出力制御処理ステップ）までの処理を当該装置２のコンピュータ本体において実行させるためのプログラムは、当該装置２に内蔵、若しくは、接続される記憶媒体に記憶されており、同じく当該装置２に内蔵される演算部により、これが読み出されて実行されるものとする。
【００４７】
因みに、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００４８】
以上に説明したように、本実施形態における画像出力システム、制御装置、画像出力方法、その方法を実行させるためのプログラム、及び、そのプログラムを記憶した記憶媒体によれば、カラーレーザープリンタ３の出力制御を行う制御装置２において、クライアント端末１から送信された印刷用画像データに対してその校正管理情報を含む付属画像データを付加することで、出力担当者は、簡単にカラープルーフ用の画像データを作成することができると共に、カラーレーザープリンタ３において当該カラープルーフ用画像データに基づく画像を出力することで、校正の対象となる画像にその校正の管理を行うための情報が付加されたカラープルーフを効率良く作成することができる。また、校正担当者は、当該カラープルーフに付加された校正管理情報を参照することで、校正を円滑に行うことができる。
【００４９】
因みに、本実施形態における画像出力システム、制御装置、画像出力方法、その方法を実行させるためのプログラム、及び、そのプログラムを記憶した記憶媒体によれば、例えば印刷用画像データにその校正管理情報を含む付属画像データを合成したＤＣＰ用画像データをカラーレーザープリンタ３によって出力する一方で、印刷用画像データをＣＴＰ用ＲＩＰ４からＣＴＰ６へ送信して出力する場合に、制御装置２において、印刷用画像データにその校正管理情報を含む付属画像データを合成することのみでＤＣＰ用画像データを作成することができるので、ＤＣＰにおいては、印刷用画像データと同様の色調を有する画像を出力することができると共に、出力担当者においては、ＤＣＰ用画像データを作成する際に、改めて画像データを再構成する必要がなく、その作業負荷を低減することができる。即ち、ＤＣＰ用画像と印刷用画像の双方を効率良く出力することができる。
【００５０】
尚、以上に説明した本実施形態における画像出力システムは、本発明の好適な一実施形態を例示したものであり、その他の実施形態を除外するものではない。
【００５１】
例えば、本実施形態においては、制御装置２に対してＣＴＰ用ＲＩＰ４からＲＩＰ処理が施された印刷用の画像データを送信して、当該装置２の画像データ合成部２６がその印刷用の画像データに対してその校正管理情報を含む画像データを合成することで、ＤＣＰ用画像データを生成する場合を例に採り説明したが、この他にも、例えば制御装置２に対してクライアント端末１からＲＩＰ処理が施されていないカンプ用画像データを送信して、当該装置２の画像データ解析加工部２１がこれにＲＩＰ処理を施して、当該装置２の画像データ合成部２６がそのＲＩＰ処理が施されたカンプ用画像データに対してその校正管理情報を含む画像データを合成することで、校正管理情報が付加されたカンプ用画像データを生成することとしても良い。このように、本発明においては、カンプ用画像データに基づく画像が出力された記録用紙、即ち、カンプもカラープルーフ（＝色見本）に含むこととする。
【００５２】
また、本実施形態においては、ＣＴＰ用ＲＩＰ４から制御装置２へＲＩＰ処理が施された印刷用の画像データを送信して、当該装置２の画像データ合成部２６がその印刷用の画像データに対してその校正管理情報を含む画像データを合成することで、ＤＣＰ用画像データを生成して、カラーレーザープリンタ３が、そのＤＣＰ用画像データに基づく画像を記録用紙に出力することでＤＣＰを作成する場合を例に採り説明したが、この他にも、例えばＤＣＰ制御装置５を制御装置２と同様の構成、即ち、図３に示した制御構成と同様の構成とした上で、ＣＴＰ用ＲＩＰ４からＤＣＰ制御装置５へＲＩＰ処理が施された印刷用の画像データを送信して、当該装置５の画像データ合成部がその印刷用の画像データに対してその校正管理情報を含む画像データを合成することで、ＤＣＰ用画像データを生成して、ＤＣＰ作成装置７が、そのＤＣＰ用画像データに基づく画像を記録用紙に出力することでＤＣＰを作成することにしても良い。
【図面の簡単な説明】
【００５３】
【図１】本発明に係る画像出力システムの一実施形態における全体構成を表す構成図である。
【図２】図１に示す画像出力システムにおいて行われる印刷製版業務の一連の流れについて説明するためのフローチャートである。
【図３】図１に示す制御装置の詳細構成を表す機能ブロック図である。
【図４】図３に示す制御装置の各部において行われる画像出力処理の一連の流れについて説明するためのフローチャートである。
【図５】図３に示す制御装置の表示部において表示されるレイアウト画面の全体構成を表す構成図である。
【符号の説明】
【００５４】
１  クライアント端末
２  制御装置
２０  画像データ保存部
２１  画像データ解析加工部
２２  スクリーン処理部
２３  表示部
２４  入力操作部
２５  付属画像データ生成部
２６  画像データ合成部
２７  出力制御部
３  カラーレーザープリンタ
４  ＣＴＰ用ＲＩＰ
５  ＤＣＰ制御装置
６  ＣＴＰ
７  ＤＣＰ作成装置
１０Ａ  レイアウト画面
１０Ａｂ  矢印カーソル
１０Ａｃ  キャレット
【図１】
2005144838.tif 000003
【図２】
2005144838.tif 000004
【図３】
2005144838.tif 000005
【図４】
2005144838.tif 000006
【図５】
2005144838.tif 000007